(57)【特許請求の範囲】
【請求項１】
プルリングを備えた合成樹脂製容器蓋において、
該プルリングの少なくとも一部は半径方向に突出と後退とを繰り返す波形状であり、且つ該プルリングには一対の上下方向屈曲部が配設されていて、該屈曲部の少なくとも片側には該屈曲部から遠ざかるに従って上方に傾斜して延びる傾斜部が配設されている、ことを特徴とする合成樹脂製容器蓋。
【請求項２】
破断可能ラインによって切取領域が規定されている底壁と、該切取領域から上方に延びる連結柱とを含み、該プルリングは該連結柱を介して該切取領域に連結されており、該プルリングを引っ張ることによって該破断ラインが破断され該切取領域が該底壁から切り取られ排出開口が生成される、請求項１記載の合成樹脂製容器蓋。
【請求項３】
該プルリングの該一対の屈曲部は該連結柱の周方向中心から周方向両側に略９０度の角度をおいて配置されており、該屈曲部の片側においては該傾斜部は該屈曲部から該連結柱まで該屈曲部から遠ざかるに従って漸次上方に傾斜して延び、該屈曲部の他側においては該屈曲部から該連結柱の直径方向反対側まで該屈曲部から遠ざかるに従って漸次上方に傾斜して延びている、請求項２記載の合成樹脂製容器蓋。
【請求項４】
該プルリングの該一対の屈曲部は該連結柱の周方向中心から周方向両側に略９０度の角度をおいて配置されており、該屈曲部の片側においては該傾斜部は該屈曲部から該連結柱まで水平に延び、該屈曲部の他側においては該屈曲部から該連結柱の直径方向反対側まで該屈曲部から遠ざかるに従って漸次上方に傾斜して延びている、請求項２記載の合成樹脂製容器蓋
【請求項５】
円形底壁と、該底壁の周縁から上方に延びる円筒形側壁と、該側壁の上端から半径方向外方に延出する環状フランジ壁とを有し、該プルリングは該側壁の内面に連結されている、請求項１記載の合成樹脂製容器蓋。
【発明の詳細な説明】
【０００１】
【発明の属する技術分野】
本発明は、プルリングを備えた合成樹脂製容器蓋に関する。
【０００２】
プルリングを備えた合成樹脂製容器蓋の典型例としては、液体調味調味料を収容した容器に好都合に使用されている、容器蓋本体と冠帽体とから構成された容器蓋を挙げることができる。容器の口頸部に装着される容器蓋本体は、破断可能ラインによって切取領域が規定されている底壁と、かかる底壁の切取領域から上方に延びる連結柱と、連結柱を介して底壁に連結されたプルリングとを含んでいる。冠帽体は容器蓋本体に旋回自在に連結され或いは容器蓋本体とは別個に成形され、容器蓋本体の底壁及びプルリングを覆う閉位置とこれらを露呈せしめる開位置とに選択的に位置せしめられる。冠帽部を開位置にせしめ、プルリングに指を掛けて引っ張ると、破断可能ラインが破断されて切取領域が底壁から切り取られて排出開口が生成され、かかる排出開口を通して容器内に収容されている液体の排出が可能になる。
【０００３】
プルリングを備えた合成樹脂製容器蓋の他の例としては、液体飲料を収容した容器の所謂中栓として使用されている容器蓋を挙げることができる。かかる容器蓋は円形底壁と、この底壁の周縁から上方に延びる円筒形側壁と、側壁の上端から半径方向外方に延出する環状フランジ壁とを有し、プルリングは側壁の内面に連結されている。かような容器蓋は底壁及び側壁が容器の口頸部内に挿入され、フランジ壁が口頸部の上端面に当接せしめられる。そして、口頸部から容器蓋を離脱する際にはプルリングに指を掛けて上方に引っ張ればよい。
【０００４】
而して、プルリングを備えた従来の合成樹脂製容器蓋には、次のとおりの解決すべき問題が存在する。特に容器の口頸部が小径であり、従って容器蓋自体も小径である場合、プルリングは相当小径になり、プルリングに指を掛けるのが必ずしも容易でない。かかる問題を解決せんとして、実公昭５６−４９８９９号公報及び実開昭５３−１２９６５５号公報に開示されている合成樹脂製容器蓋においては、連結柱を介して底壁に連結されているプルリングを連結柱から離れるに従って上方に向かって傾斜して延びる形態にせしめることが開示されている。プルリングをかような形態にせしめると、プルリングにおける連結柱に対して直径方向反対側に位置する部位が最も高くなり、プルリングが小径の場合でもプルリングの最も高い部位に指を掛けることが幾分容易になる。しかしながら、未だ充分に満足し得るものではなく、プルリング内に指を充分に挿入することができず、一旦プルリングに掛けた指がプルリングから離脱してしまうことも少なくない。
【０００５】
本発明は上記事実に鑑みてなされたものであり、その主たる技術的課題は、容器蓋が小径であり、従ってプルリングが相当小径である場合でも、容易且つ確実にプルリングに指を掛け、必要に応じてプルリングに指を挿通せしめることができる、新規且つ改良された合成樹脂製容器蓋を提供することである。
【０００６】
【課題を解決するための手段】
本発明においては、プルリングの少なくとも一部を半径方向に突出と後退とを繰り返す波形状にせしめ、そして更にプルリングには一対の上下方向屈曲部を配設し、屈曲部の少なくとも片側には該屈曲部から遠ざかるに従って上方に傾斜して延びる傾斜部を配設し、
プルリングに掛けた指を引っ張るとプルリングの波形状が伸張されてプルリングが拡張されると共に屈曲部が伸張されることによってもプルリングが拡張され、プルリングに対する指の挿入が促進されるようになすことによって、上記技術的課題を達成する。
【０００７】
即ち、本発明によれば、上記技術的課題を達成する合成樹脂製容器蓋として、プルリングを備えた合成樹脂製容器蓋において、
該プルリングの少なくとも一部は半径方向に突出と後退とを繰り返す波形状であり、且つ該プルリングには一対の上下方向屈曲部が配設されていて、該屈曲部の少なくとも片側には該屈曲部から遠ざかるに従って上方に傾斜して延びる傾斜部が配設されている、ことを特徴とする合成樹脂製容器蓋が提供される。
【０００８】
好適実施形態においては、破断可能ラインによって切取領域が規定されている底壁と、該切取領域から上方に延びる連結柱とを含み、該プルリングは該連結柱を介して該切取領域に連結されており、該プルリングを引っ張ることによって該破断ラインが破断され該切取領域が該底壁から切り取られ排出開口が生成される。好ましくは、該プルリングの該一対の屈曲部は該連結柱の周方向中心から周方向両側に略９０度の角度をおいて配置されており、該屈曲部の片側においては該傾斜部は該屈曲部から該連結柱まで該屈曲部から遠ざかるに従って漸次上方に傾斜して延び、該屈曲部の他側においては該屈曲部から自由端まで該屈曲部から遠ざかるに従って漸次上方に傾斜して延びている、或いは該プルリングの該一対の屈曲部は該連結柱の周方向中心から周方向両側に略９０度の角度をおいて配置されており、該屈曲部の片側においては該傾斜部は該屈曲部から該連結柱まで水平に延び、該屈曲部の他側においては該屈曲部から該連結柱の直径方向反対側まで該屈曲部から遠ざかるに従って漸次上方に傾斜して延びている。他の好適実施形態においては、円形底壁と、該底壁の周縁から上方に延びる円筒形側壁と、該側壁の上端から半径方向外方に延出する環状フランジ壁とを有し、該プルリングは該側壁の内面に連結されている。
【０００９】
以下、本発明に従って構成された合成樹脂製容器蓋の好適実施形態を図示している添付図面を参照して、更に詳述する。
【００１０】
図１及び図２を参照して説明すると、全体を番号２で示す容器蓋は、その全体がポリエチレン又はポリプロピレン如き適宜の合成樹脂から一体に形成されている。容器蓋２は容器蓋本体４とこの容器蓋本体４に連結されている冠帽部６とから構成されている。
【００１１】
容器蓋本体４は略円板形状でよい底壁８を有する。この底壁８の下面には外側垂下壁１０及び内側垂下壁１２が形成されている。外側垂下壁１０は略円筒形状であり、底壁８の外周縁から下方に垂下せしめられている。内側垂下壁１２も略円筒形状であり、外側垂下壁１０と実質上同心状に底壁８の下面から下方に垂下せしめられている。外側垂下壁１０の内周面の軸方向中央部には、半径方向内方に突出した環状係止突条１４が形成されている。内側垂下壁１２の外周面下部は断面図において弧状をなし、下方に向かって外径が漸次低減せしめられている。
【００１２】
底壁８の上面には環状係止壁１６が形成されている。この係止壁１６は底壁８の上面における外周縁部から上方に延びる略円筒形状であり、その外周面上端には半径方向外方に突出した環状係止突条１８が形成されている。底壁８の上面には注出案内壁２０も形成されている。注出案内壁２０は底壁８の上面から上方に延びる略円筒形状であり、その上端部は半径方向外方に湾曲せしめられている。注出案内壁２０は係止壁１６と同心状ではなく、係止壁１６に対して図１及び図２において若干左方に変位せしめられている。係止壁１６は比較的低く、注出案内壁２０は比較的高く、注出案内壁２０は係止壁１６を超えて上方に延出せしめられている。
【００１３】
図示の実施形態においては、底壁８には、破断可能ライン２２によって切取領域２４が規定されている。かかる破断可能ライン２２は上記内側垂下壁１２及び注出案内壁２０よりも半径方向内側を略円形状に延びており、底壁８の肉厚を低減せしめた所謂スコアから構成することができる。切取領域２４には、その上面周縁部から実質上鉛直に延びる連結柱２６を介して、プルリング２８が連結されている。かかるプルリング２８は、図２に実線で示す如く連結柱２６の上端から実質上水平に延びている。
【００１４】
図１及び図２と共に図３を参照して説明をすると、上記連結柱２６は図１（即ち平面図）において円弧状であり、上記プルリング２８は図1（即ち平面図）において略円形状に延在している。プルリング２８の少なくとも一部は半径方向に突出と後退とを繰り返す波形状であることが重要である。図示の実施形態においては、プルリング２８は連結柱２６の周方向片側から他の片側に渡る部位に渡って半径方向に突出と後退とを繰り返す波形状部３０を有する。かかる波形状部３０は複数個（図示の場合は２６個）の略弦状部３２から成り、これらが半径方向に突出と後退とを繰り返しながら列なり延びることにより構成されている。夫々の隣接する弦状部３２は突出端において略９０度でよい角度αをなし、後退端において略２５０度でよい角度βをなす。
【００１５】
図１及び図２を参照して説明を続けると、冠帽部６は円形天面壁３４とこの天面壁３４の周縁から垂下する（即ち冠帽部６が図２に二点鎖線で示す閉位置に位置せしめられている時に天面壁３４の周縁から下方に延びる）円筒形状のスカート壁３６とを有する。冠帽部６には、更に、天面壁３４の内面から下方に延出する円筒形状のシール壁３８も形成されている。シール壁３８はスカート壁３６と同心状ではなく、図１及び図２においてスカート壁３６に対して若干右方に変位せしめられている（冠帽部６が図２に二点鎖線で示す閉位置に位置せしめられると、スカート壁３６が容器蓋本体４の係止壁１６と同心状に位置し、シール壁３８が容器蓋本体４の注出案内壁２０と同心状に位置する）。シール壁３８の外周面は延出端に向かって外径が漸次減少する逆円錐台形状にせしめられている。スカート壁３６の内周面下端部には環状係止溝４０が形成されている。かような冠帽部６は、それ自体は周知の形態でよい旋回連結部４２を介して容器蓋本体４に連結されている。旋回連結部４２は容器蓋本体４の底壁８の外周面と冠帽部６のスカート壁３６の外周面下端との間に配置されている。冠帽部６には、旋回連結部４２の直径方向反対側においてスカート壁３６の外周面下端から半径方向外方に突出する突出片４４も形成されている。
【００１６】
図２には、容器蓋２が適用される容器の口頸部４６も図示されている。ガラス或いはポリエチレンテレフタレートの如き適宜の合成樹脂から形成することができる容器の口頸部４６は略円筒形状であり、その外周面上端部には半径方向外方に突出する環状係止あご部４８が形成されている。図２に明確に図示する如く、容器蓋本体４は、容器の口頸部４６の上端部を外側垂下壁１０と内側垂下壁１２との間に受け入れて、口頸部４６に装着される。外側垂下壁１０の内周面に形成されている係止突条１４が口頸部４６の係止あご部４８の下方に係止され、これによって口頸部４６に容器蓋本体部４が係止される。内側垂下壁１２と外側垂下壁１０の間にて口頸部４６の上端面が底壁８の下面に密接せしめられ、これによって口頸部４６が密封される。冠帽体６が閉位置に位置せしめられると、スカート壁３６の内周面に形成されている係止溝４０が容器蓋本体４の係止壁１６の外周面に形成されている係止突条１８に係止めせしめられ、これによって冠帽体６が二点鎖線で示す閉位置に係止せしめられる。冠帽体６のシール壁３８の外周面は容器蓋本体４の注出案内壁２０の内周面上部に密接せしめられる。
【００１７】
図２を参照して説明を続けると、容器内に収容されている液体を排出する際には、冠帽部６を二点鎖線で示す閉位置から実線で示す開位置に旋回せしめる。次いで、プルリング２８に掛けた指を引っ張ると、図２に二点鎖線で示す如くプルリング２８が伸張されて、波形状部３０が波形状から略直線状に変形せしめられることによってプルリング２８の内径が増大せしめられ、かくしてプルリング２８の内径が比較的小さい場合でも充分容易にプルリング２８内に指を挿入することができる。そして、底壁８に形成されている破断可能ライン２２が破断されると、プルリング２８及び連結柱２６と共に底壁８の切取領域２４が容器蓋本体４から分離され、底壁８に排出開口が生成される。しかる後においては、容器全体を傾動せしめることによって、排出開口を通して排出される液体は、容器蓋本体４の注出案内壁２０に案内されて円滑に注出される。所要量の液体の注出が終了すると、冠帽部６を二点鎖線で示す閉位置に旋回せしめる。かくすると、冠帽部６のシール壁３８の外周面が容器蓋本体４の注出案内壁２０の内周面上部に密接せしめられ、これによって容器の口頸部４６が一時的に密封される。
【００１８】
図４及び図５は本発明に従って構成された容器蓋の変形例を図示している。この変形例においては、プルリング１２８に連結柱１２６の周方向中心から略９０度の角度をおいて一対の上下方向屈曲部１２９が配設されている。かかる屈曲部１２９の片側においては屈曲部１２９から連結部１２６の直径方向反対側まで屈曲部１２９から遠ざかるに従って漸次上方に傾斜して延びる傾斜部１３１が配設されており、屈曲部１２９の他側においては屈曲部１２９から実質上水平に延びる水平部１３３が配設されている。傾斜部１３１は水平部１３３に対して略２０度で傾斜している。プルリング１２８における連結柱１２６に対して直径方向反対側に位置する部位は、冠帽部６が容器蓋本体４の底壁８、連結柱１２６及びプルリング１２８を露呈せしめた状態においては、図４に示す如く注出案内壁２０の上端より上方に位置する（プルリング１２８における連結柱１２６に対して直径方向反対側に位置する部位は、冠帽部６が閉位置に位置せしめた状態においては、冠帽部６の天面壁３４の内面が当接せしめられ弾性的に下方に変位せしめられる。）。図４及び図５に図示する容器蓋のその他の構成は図１乃至図３に図示する容器蓋と同一でよい。
【００１９】
図４及び図５に図示する容器蓋においては、冠帽部６を閉位置から開位置に旋回せしめると、冠帽部６の天面壁３４の内面によって強制されていたプルリング１２８が弾性的に復元し、プルリング１２８における連結柱１２６に対して直径方向反対に位置する部位が注出案内壁２０の上端より上方に位置せしめられる。次いで、プルリング１２８に指を掛けて引っ張ると、プルリング１２８の屈曲部１２９が略直線状に変形せしめられることに加えて、２個の連結柱１２６が相互に離れる方向に弾性的に撓まされる。これによってプルリング１２８の内径の増大が助長される。また、プルリング１２８には一対の屈曲部１２９が配設されており、その片側（連結柱１２６の反対側）には屈曲部から離れるに従って漸次上方に延びる傾斜部１３１が存在するが故に、プルリング１２８が比較的小径の場合でもプルリング１２８の傾斜部１３１に容易に指を掛けることができる。
【００２０】
図６は容器蓋の他の変形例の一部を図示している。この変形例においては、連結柱２２６は単一下部２２７と二股に分岐せしめられている上部２２５とを有する。プルリング２２８は連結柱２２６の二股に分岐せしめられた上部２２５の一方から他方まで平面図において略円形状に延びている。プルリング２２８には、連結柱２２６の周方向中心から略９０度の角度をおいて一対の上下方向屈曲部２２９が配置されており、屈曲部２２９の片側においては屈曲部２２９から連結部２２６の直径方向反対側まで屈曲部２２９から遠ざかるに従って漸次上方に傾斜して延びる傾斜部２３１が配設され、屈曲部２２９の他側においては屈曲部２２９から連結柱２２６まで屈曲部２２９から遠ざかるに従って漸次上方に傾斜して延びる傾斜部２３５が配設されている。傾斜部２３１は水平に対して略２０度で傾斜しており、傾斜部２３５は水平に対して略２０度で傾斜している。図６に図示する容器蓋のその他の構成は図１乃至図３に図示する容器蓋と同一でよい。
【００２１】
図６に図示する容器蓋においては、プルリング２２８に指を掛けて引っ張るとプルリング２２８の屈曲部２２９が直線状に変形せしめられることに加えて、連結柱２２６の二股に分岐されている上部２２５が相互に離れる方向に弾性的に撓まされ、これによってプルリング２２８の内径の増大が助長される。また、プルリング２２８には一対の屈曲部２２９が配設されており、その片側（連結柱２２６の反対側）には屈曲部から離れるに従って漸次上方に延びる傾斜部２３１が存在するが故に、プルリング２２８が比較的小径の場合でもプルリング２２８の傾斜部２３１に容易に指を掛けることができる。
【００２２】
上述した実施形態においては冠帽部６が旋回連結部４２を介して容器蓋本体４に連結されているが、本発明は、冠帽部が容器蓋本体に着脱自在に螺着される形態の容器蓋、或いは切取領域及びこれに連結されたプルリングが容器蓋とは別個に形成された栓体に配設されている形態の容器蓋にも適用することができる。
【００２３】
図７は本発明に従って構成された容器蓋の他の実施形態を図示している。図示の実施形態においては、容器蓋３０２は円形底壁３０８と、底壁３０８の周縁から上方に延びる円筒形側壁３０９と、側壁３０９の上端から半径方向外方に延出する環状フランジ壁３１１とを有し、側壁３０９の内面上端部には実質上水平に延びる略円形状のプルリング３２８が連結されている。かかるプルリング３２８は連結部３３７の周方向片側から他の片側に渡る部位に渡って半径方向に突出と後退とを繰り返す波形状部３３０を有する。波形状部３３０は複数個（図示の場合は２６個）の略弦状部３３２から成り、これらが半径方向に突出と後退とを繰り返しながら列なり延びることにより構成されている。夫々の隣接する弦状部は突出端において略９０度でよい角度αをなし、後退端において略２５０度でよい角度βをなす。
【００２４】
図７に図示する容器蓋３０２は、所謂中栓として使用されるものであり、底壁３０８及び側壁３０９が容器の口頸部内に挿入され、フランジ壁３１１が口頸部の上端部に当接せしめられる。容器内に収容されている液体を排出する際には、プルリング３２８に指を掛けて引っ張ると、プルリング３２８自体が伸張せしめられることに加えて、波形状部３３０が直線状に変形せしめられることによってプルリング３２８の内径が増大せしめられ、かくしてプルリング３２８の内径が比較的小さい場合でも充分容易にプルリング３２８内に指を挿入することができる。
【００２５】
【発明の効果】
本発明の合成樹脂容器蓋においては、容器蓋が小径であることに起因してプルリングが相当小径である場合でも、容易且つ確実にプルリングに指を掛け、必要に応じてプルリングに指を挿通せしめることができる。
【図面の簡単な説明】
【図１】本発明に従って構成された合成樹脂製容器蓋の好適実施形態を、冠帽部を開状態にせしめて示す平面図。
【図２】図１の線Ａ―Ａにおける断面図。
【図３】図１に示す容器蓋の容器蓋本体に配設された連結柱、プルリングを示す部分斜面図。
【図４】本発明に従って構成された合成樹脂製容器蓋の変形例を、冠帽部を開状態にせしめて示す断面図。
【図５】図４に示す容器蓋の容器蓋本体に配設された連結柱、プルリングを示す部分斜面図。
【図６】本発明に従って構成された合成樹脂製容器蓋の他の変形例の一部を拡大して示す部分斜面図。
【図７】本発明に従って構成された容器蓋の更に他の変形例を示す斜面図。
【符号の説明】
２：容器蓋
８：底壁
２２：破断可能ライン
２４：切取領域
２６：連結柱
２８：プルリング
１２６：連結柱
１２８：プルリング
１２９：屈曲部
１３１：傾斜部
２２６：連結柱
２２５：上部
２２７：下部
２２８：プルリング
２２９：屈曲部
２３１：傾斜部
２３５：傾斜部
３０２：容器蓋
３０８：底壁
３０９：側壁
３１１：フランジ壁
３２８：プルリング
【図１】
0004845300.tif 000002
【図２】
0004845300.tif 000003
【図３】
0004845300.tif 000004
【図４】
0004845300.tif 000005
【図５】
0004845300.tif 000006
【図６】
0004845300.tif 000007
【図７】
0004845300.tif 000008